(57)【要約】【課題】  ３層以上の記録層を有する多層光ディスクにおいて、所望の記録層へ容易にフォーカス引き込み可能な多層光ディスクを提供する。【解決手段】  所望の記録層の反射率と他の記録層の反射率との比が前記他の記録層の反射率を基準として所定の値以上となるよう各記録層の反射率を設定する。【選択図】  図４
2008287804.tif 000002
【特許請求の範囲】
【請求項１】
３層以上の記録層を有する多層光ディスクであって、
情報を記録・再生するためのレーザ光に対する各記録層の反射率のうち、最初に再生すべき情報が記録されている記録層の反射率が他の記録層の反射率より大きい、
多層光ディスク。
【請求項２】
３層以上の記録層を有する多層光ディスクであって、
情報を記録・再生するためのレーザ光に対する各記録層の反射率のうち、最初に再生すべき情報が記録されている記録層の反射率と、他の記録層の反射率との比が、前記他の記録層の反射率を基準として所定の値以上である、
多層光ディスク。
【請求項３】
３層以上の記録層を有する多層光ディスクであって、
情報を記録・再生するためのレーザ光に対する各記録層の反射率のうち、最初に再生すべき情報が記録されている記録層の反射率と、該記録層に隣接する他の記録層の反射率との比が、前記他の記録層の反射率を基準として所定の値以上である、
多層光ディスク。
【請求項４】
請求項２または３に記載の多層光ディスクであって、
前記所定の値は0.8以上である、
多層光ディスク。
【請求項５】
請求項３に記載の多層光ディスクであって、
前記所定の値は1.0以上である、
多層光ディスク。
【請求項６】
請求項３に記載の多層光ディスクであって、
前記他の記録層は、前記最初に再生すべき情報が記録されている記録層よりも前記レーザ光の入射面に近い位置に配置されている記録層である、
多層光ディスク。
【請求項７】
請求項３に記載の多層光ディスクであって、
前記他の記録層は、前記最初に再生すべき情報が記録されている記録層よりも前記レーザ光の入射面から遠い位置に配置されている記録層である、
多層光ディスク。
【請求項８】
請求項１乃至３のいずれかに記載の多層光ディスクであって、
前記最初に再生すべき情報が記録されている記録層の反射率は、前記他の記録層の反射率に対して１２０％以下である、
多層光ディスク。
【請求項９】
請求項１乃至３のいずれかに記載の多層光ディスクであって、
前記最初に再生すべき情報が記録されている記録層は、データ読み出し面から最も遠い記録層である、
多層光ディスク。
【請求項１０】
請求項１乃至３のいずれかに記載の多層光ディスクであって、
前記最初に再生すべき情報はBCAデータに含まれる、
多層光ディスク。
【請求項１１】
請求項１乃至３のいずれかに記載の多層光ディスクであって、
前記最初に再生すべき情報が記録されている記録層の反射率と前記他の記録層の反射率は、未記録部の反射率である、
多層光ディスク。
【発明の詳細な説明】
【技術分野】
【０００１】
本発明は、３層以上の記録層を有する多層光ディスクに関する。
【背景技術】
【０００２】
光ディスクの記録容量増加方法としては、データの記録・再生を行うレーザ光の短波長化および対物レンズの高ＮＡ化によるレーザスポットの微小化や、記録層を複数にする多層化などがある。多層光ディスクとしてはDVDやBlu-ray Disc（以下、BDと記載する）において２層ディスクが実用化されている。
また近年は３層以上の記録層を有する光ディスクが提案されており、例えば非特許文献１においては６層の記録層を有するBDが提案されている。
【０００３】
【非特許文献１】ODS2006 Technical digest (2006) 041
【発明の開示】
【発明が解決しようとする課題】
【０００４】
ここで、多層光ディスクにおいて、最初にフォーカス引き込みを行うべき記録層について考える。
【０００５】
２層BDにおいては、情報の記録・再生を行うレーザ光を入射するディスク面から１００ｕｍの深さにある記録層をＬ０、７５ｕｍの深さにある記録層をＬ１と呼ぶが、ディスクの種別情報などが記録されているDI(Disc Information)を含むBCA(Burst Cutting Area)コードが記録層Ｌ０に配置されている。
【０００６】
図２にBCAを有する光ディスクの模式図を示す。
【０００７】
図２において、光ディスク２０１の中央にはディスク装着のためのセンターホール２０２が設けられており、センターホール２０２の周囲にはBCA２０３が配置されている。光ディスク２０１を回転させてBCA２０３の半径位置で記録層Ｌ０へフォーカシングサーボを行うと、光ディスク２０１からの反射光レベルは強弱を繰り返すバーコードデータとなる。このバーコードデータがすなわちDIを含むBCAコードである。
【０００８】
なお、BCAの半径位置においてはBCAに起因するスパイクノイズがフォーカスエラー（以下、ＦＥ）信号の公知のＳ字波形に発生してフォーカス引き込みタイミングを誤らせる可能性がある。そのため、光ディスク装置は、一旦BCAが存在しない半径位置でフォーカスを引き込んだ後に対物レンズをBCAの半径位置へ移動させてBCAデータを再生する方法が一般的である。
【０００９】
BCAコードを読み出すためにはフォーカシングサーボのみが行われていればよく、トラッキングサーボは不要である。光ディスク装置は、装着された光ディスクがBD-ROM・BD-Rといった媒体種別のうちどの媒体に相当するかを反射信号のレベルなどを用いて判別するが、最終的な媒体種別の決定は光ディスク２０１のBCAに予め記録されているDIを参照して行われる。短時間で媒体の種別を確定させるには、DIが記録されているBCA２０３が配置されている記録層へフォーカス引き込みを行う必要があるため、２層BDでは最初に再生すべき情報であるBCAが存在する記録層Ｌ０へ最初にフォーカス引き込みを行うことが光ディスク装置としては望ましい。
【００１０】
６層BDに関しては、まだ規格化されていないためBCAをどの層へ配置するかは決まっていないが、これまでの技術を踏襲すると考えると例えば前記非特許文献１に記載の６層BDではBCAまたはそれに相当するものは一番奥の記録層Ｌ０へ配置されることが予想される。その場合、６層BDをサポートする光ディスク装置に対しては、一番奥の記録層Ｌ０へ最初にフォーカス引き込みすることが望ましい。
【００１１】
本発明の目的は、３層以上の記録層を有する多層光ディスクにおいて、最初に再生すべき情報が記録されている記録層へ容易にフォーカス引き込み可能な多層光ディスクを提供することである。
【課題を解決するための手段】
【００１２】
本発明の目的は、その一例として、最初に再生すべき情報が記録されている記録層の反射率と他の記録層の反射率とを所定関係とすることで達成できる。
【発明の効果】
【００１３】
本発明によれば、３層以上の記録層を有する多層光ディスクにおいて、最初に再生すべき情報が記録されている記録層へ容易にフォーカス引き込み可能な多層光ディスクを提供することができる。
【発明を実施するための最良の形態】
【００１４】
［実施例１］
以下本発明の実施例について説明する。
【００１５】
多層光ディスクにおいては、情報の記録・再生を行うレーザを入射するディスク表面から各記録層までの距離が異なることに起因して球面収差が発生し、そのために各記録層におけるＳ字状のＦＥ信号振幅が異なることが知られている。例えば、球面収差補正量が記録層Ｌ０で最適となるよう設定しておくと記録層Ｌ０でのＦＥ信号振幅は他の記録層でのＦＥ信号振幅に比べて大きくなる。また、記録層Ｌ１では球面収差補正量が最適値からずれているために、記録層Ｌ１でのＦＥ信号振幅は記録層Ｌ０でのＦＥ信号振幅よりも小さくなる。以下、同様に記録層Ｌ２，Ｌ３，Ｌ４，Ｌ５と記録層Ｌ０から遠ざかるに従ってＦＥ信号振幅が小さくなる。
【００１６】
ここで、６層BDにおいてフォーカスを引き込む動作と信号波形について図３の模式図を用いて説明する。図３においては、光ディスク装置が備える球面収差補正機構は記録層Ｌ０に対して最適となるように予め調整するものとする。
【００１７】
図３（ａ）は６層BDのディスク断面図であり、図中の矢印はフォーカスを引き込む際に対物レンズを上昇動作させたときのレーザスポットの軌跡を示している。また、図３（ｂ）はＦＥ信号の概念図であり、レーザスポットがディスクの表面を横切る時刻T0において０クロスするＳ字波形が現れる。さらに対物レンズの上昇を続けると、レーザスポットが記録層Ｌ５を横切る時刻T1において０クロスするＳ字波形がＦＥ信号に現れ、以下、時刻T2,T3,T4,T5,T6においてそれぞれ記録層Ｌ４,Ｌ３,Ｌ２,Ｌ１,Ｌ０を横切る際にもＦＥ信号にＳ字波形が現れる。
【００１８】
従って記録層Ｌ０へ正確にフォーカス引き込みを行うためには、図３に示すように記録層Ｌ１および記録層Ｌ０での各ＦＥ信号のボトムレベルＢ１およびＢ０の間に検出レベルＶｔｈを設けておき、光ディスク装置に搭載されているフォーカス引き込み制御回路は、ＦＥ信号が検出レベルＶｔｈ以下になった後にＦＥ信号が０クロスするタイミングT6においてフォーカスサーボループを閉じる方法を用いることができる。
【００１９】
以上の方法を用いるには、BCAが配置されている記録層Ｌ０でのＦＥ信号振幅が一番大きい必要がある。しかしながら、各記録層の反射率や球面収差補正の補正誤差によりＦＥ信号振幅が変化して、他の記録層でのＦＥ信号のボトムレベルＢ１が検出レベルＶｔｈ以下になる、もしくは記録層Ｌ０のＦＥ信号振幅のボトムレベルＢ０が検出レベルＶｔｈ以下にならないという課題が発生する。そこでこの課題を解決するために、記録層Ｌ０でのＦＥ信号振幅が一番大きくなる光ディスクを提供する必要がある。
【００２０】
以下、より詳細に本発明における実施例１について説明する。
【００２１】
図１は、本発明の実施例１における６層光ディスクの断面模式図である。
【００２２】
符号１００は厚さ４０μｍのカバー層であり、透明樹脂などで構成される。
符号１０１から１０６は、それぞれ記録層Ｌ５，Ｌ４，Ｌ３，Ｌ２，Ｌ１，Ｌ０である。なお、各記録層は相変化材料や有機材料を用いた積層構造を有しているが、その構造は本発明の構成を成すものではないので説明を省略する。
【００２３】
符号１０７から１１１はスペース層である。各スペース層は透明樹脂により構成されている。また、各スペース層の厚さは１５μｍであるものとする。符号１１２は基板であり、ポリカーボネートなどで構成される。なお、カバー層１００から基板１１２を全て合わせた光ディスク全体の厚さは１．２ｍｍである。また、情報の記録・再生を行うレーザ光はカバー層１００側から入射される。
【００２４】
実施例１の多層光ディスクの特徴は、記録層Ｌ０(符号１０６)の反射率が他の記録層の反射率に比べて高い点である。
【００２５】
多層光ディスクの記録層数がｎのとき、データ読み出し面に対して一番奥の記録層をＬ０、一番手前側の記録層をＬｎ−１、各記録層Ｌｉ（ｉ＝０，１，…，ｎ−１）の記録膜単体における反射率、透過率をそれぞれｒｉ、ｔｉとすると、データ読み出し面から入射したレーザ光に対する各記録層の反射率Ｒｉは、一般的に
【００２６】
【数１】
2008287804.tif 000003
【００２７】
と表すことができる。（数１）より、図１に示した６層光ディスクの記録層Ｌ０からＬ５までの各層の反射率Ｒ０,Ｒ１,Ｒ２,Ｒ３,Ｒ４,Ｒ５は、
【００２８】
【数２】
2008287804.tif 000004
【００２９】
【数３】
2008287804.tif 000005
【００３０】
【数４】
2008287804.tif 000006
【００３１】
【数５】
2008287804.tif 000007
【００３２】
【数６】
2008287804.tif 000008
【００３３】
【数７】
2008287804.tif 000009
【００３４】
と表すことができる。
【００３５】
ここでＦＥ信号振幅について考えると、ＦＥ信号振幅は記録層の反射率に比例することが一般的に知られている。このことより、記録層Ｌ０の反射率Ｒ０を他の記録層の反射率Ｒ１,Ｒ２,Ｒ３,Ｒ４,Ｒ５に比べて高くすれば、球面収差補正量がＬ０層に対して適切に調整されている状態においては、記録層Ｌ０でのＦＥ信号振幅を他の記録層でのＦＥ信号振幅よりも大きくすることができる。
【００３６】
記録層Ｌ０の反射率Ｒ０を高くするためには、（数２）より記録層Ｌ１からＬ５の透過率ｔ１,ｔ２,ｔ３,ｔ４,ｔ５を高くするか、記録層Ｌ０の記録膜単体反射率ｒ０を高くすればよいことが分かる。しかしながら、（数３）から（数６）より分かるように透過率ｔ２,ｔ３,ｔ４,ｔ５を変更した場合は記録層Ｌ１からＬ４の反射率Ｒ１,Ｒ２,Ｒ３,Ｒ４にも影響を及ぼしてしまう。また、記録層Ｌ１の透過率ｔ１を変更した場合は記録層Ｌ１の単体反射率ｒ１に影響を与えるので、記録層Ｌ１の反射率Ｒ１に影響を与えてしまう。よって、他の記録層の特性に影響を与えないよう記録層Ｌ０の反射率Ｒ０を大きくするには、記録層Ｌ０の単体反射率ｒ０を大きくすることが望ましい。
【００３７】
以下、記録層Ｌ０の反射率Ｒ０を高くした場合、例えば他の記録層の反射率に対して１１０％とした場合について、図４を用いてその効果を説明する。
【００３８】
図４は、球面収差補正量と各記録層のＦＥ信号振幅の関係を示す模式図である。
【００３９】
図４の曲線(a)は、球面収差補正量を変化させたときの記録層Ｌ５でのＦＥ信号振幅をプロットしたものである。ディスク表面から記録層Ｌ５までの距離は４０μｍであるので、球面収差補正量は４０μｍが最適値であり、そのときにＦＥ信号振幅が最大となる。同様に、曲線(b)は、球面収差補正量を変化させたときの記録層Ｌ４でのＦＥ信号振幅をプロットしたものである。ディスク表面から記録層Ｌ４までの距離は、カバー層１００とスペース層１０７を合わせた５５μｍであるので、球面収差補正量は５５μｍが最適値であり、そのときにＦＥ信号振幅が最大となる。以下、同様に曲線(c)、(d)、(e)、(f)は各記録層Ｌ３、Ｌ２、Ｌ１、Ｌ０でのＦＥ信号振幅をプロットしたものであり、それぞれ、球面収差補正量がディスク表面から各記録層までの距離と等しくなる７０μｍ、８５μｍ、１００μｍ、１１５μｍのときにＦＥ信号振幅が最大となる。
【００４０】
ここで、記録層Ｌ１からＬ５の反射率Ｒ１,Ｒ２,Ｒ３,Ｒ４,Ｒ５が同じであるとすると、各記録層におけるＦＥ信号振幅の最大値は等しい。例えば記録層Ｌ５のＦＥ信号振幅を１００％としてＦＥ信号振幅を正規化表示すると、各記録層のＦＥ信号振幅は図4に示すようになる。
【００４１】
図４において、球面収差補正量が記録層Ｌ０に対して最適値である１１５μｍのときに、記録層Ｌ０および記録層Ｌ１でのＦＥ信号振幅の差は図４のD1に相当する。そのため、図３におけるＦＥ信号のＳ字波形のボトムレベルＢ１とＢ０のレベル差は前記D1の略半分に相当する。
【００４２】
ここで、本実施例の効果について実施例を適用しない場合と比較する。本実施例を適用しない場合の例として、記録層Ｌ０の反射率を他の記録層と同じにした場合について考える。この場合、図４において記録層Ｌ０でのＦＥ信号振幅の最大値は、他の記録層でのＦＥ信号振幅の最大値と同じ１００％となる。この場合には、記録層Ｌ０および記録層Ｌ１でのＦＥ信号振幅の差は図４のD2に相当する。
【００４３】
図４から明らかなように、本実施例を適用した場合のＦＥ信号振幅の差D1は、本実施例を適用しない場合のＦＥ信号振幅の差D2よりも大きくなる。このことは、図３におけるボトムレベルＢ１とＢ０のレベル差が大きくなることを意味するので、各ボトムレベルＢ０、Ｂ１に対する検出レベルＶｔｈのマージンを大きくすることができる。このため、記録層Ｌ０およびＬ１の反射率誤差やスペース層１１１の厚さ誤差に起因してＦＥ信号振幅が変化した場合でも、図３に示したＦＥ信号のＳ字波形のボトムレベルＢ０が検出レベルＶｔｈを上回ったり、ボトムレベルＢ１が検出レベルＶｔｈを下回ったりすることがなくなる。そのため、検出レベルＶｔｈにより、記録層Ｌ０でのＳ字波形を正確に検出できるため、所望の記録層Ｌ０へ正しくフォーカス引き込みを行うことができるようになる。  
以上に述べた本発明の実施例１は、フォーカス引き込みを行う所望の記録層Ｌ０の反射率を他の記録層の反射率よりも高くすることで、記録層Ｌ０および記録層Ｌ１におけるＦＥ信号のＳ字波形のボトムレベル差を拡大させる。このことにより、光ディスク装置が記録層Ｌ０でのＳ字波形を正確に検出できるようになるので、目的の記録層Ｌ０へ正しくフォーカス引き込みできるようになる。
【００４４】
なお、以上に述べた実施例１では、記録層Ｌ０にBCAが配置された構成として説明したが、BCAを配置する記録層はＬ０に限定する必要は無い。例えば、BCAを記録層Ｌ２に配置する構成とした場合は、フォーカス引き込みの目的層は記録層Ｌ２となる。この場合は、記録層Ｌ２の反射率を他の記録層の反射率よりも高くすれば、上述した動作と同様に記録層Ｌ２へ正確にフォーカスを引き込むことができる。
【００４５】
なお、上記の実施例１では記録層Ｌ１からＬ５に対して記録層Ｌ０の反射率比を１１０％として説明したが、記録層Ｌ０の反射率比は１１０％に限るものではなく１００％もしくは１００％よりも大きい値であれば良いので、例えば１０５％などとしても良い。
【００４６】
また、上記の実施例１では記録層Ｌ０の単体反射率ｒ０を高くする手法を提案したが、記録層Ｌ１からＬ５までの特性を所望の範囲内に収めることができるのであれば、各記録層の単体透過率ｔ１からｔ５を変更して記録層Ｌ０の反射率を高くしても良い。
【００４７】
さらに、フォーカス引き込みの不具合の解消するためには記録層Ｌ０でのＦＥ信号振幅が他の層でのＦＥ信号振幅に比べて一番大きくなればよいので、記録層Ｌ１からＬ５の各単体反射率を小さくしてもよいことはいうまでもない。
【００４８】
なお、記録層Ｌ１からＬ５の反射率に対して記録層Ｌ０の反射率を特別大きく、例えば２００％などにすると記録層Ｌ０再生時には光ピックアップ内の光検出器の入力ダイナミックレンジが不足する、または記録層Ｌ０から情報を読み出す際の再生条件を別途設定しなければならない、という新たな課題が発生する可能性がある。そのため、記録層Ｌ０の反射率比の上限を、例えば１２０％などと所定の値に定めることが望ましい。
［実施例２］
実施例１では、フォーカス引き込みの目的層である記録層Ｌ０の反射率を他の記録層よりも高くする例を説明したが、実施例２では、他の記録層の反射率より低い場合でも正しくフォーカス引き込み可能な多層光ディスクについて説明する。
【００４９】
なお、実施例２の多層光ディスクの構成は実施例１で説明した図１と同様であるので説明を省略する。
【００５０】
図５は図３と同様に球面収差補正量と各記録層のＦＥ信号振幅の関係を示す模式図である。図５において、曲線(g)は、球面収差補正量を変化させたときの記録層Ｌ０でのＦＥ信号振幅をプロットしたものであるが、記録層Ｌ０の反射率は他の記録層の反射率に対して小さい、例えば６０％である場合とする。
【００５１】
先に説明した通りＦＥ信号振幅は記録層の反射率に比例するので、記録層Ｌ０でのＦＥ信号振幅は小さくなり、球面収差補正量を記録層Ｌ０で最適となるよう１１５μｍと設定しても、その最大値は他の記録層でのＦＥ信号振幅の最大値に対して６０％となる。
【００５２】
球面収差補正量に対するＦＥ信号振幅の変化の感度は光ディスク装置が備える光ピックアップの特性に依存するが、記録層Ｌ０でのＦＥ信号振幅が６０％まで低下すると、図５に示すように記録層Ｌ１でのＦＥ信号振幅よりも小さくなることが一般的である。
【００５３】
記録層Ｌ０へ正しくフォーカス引き込みするための条件としては、球面収差補正量を記録層Ｌ０に最適となるように設定した状態で、記録層Ｌ０でのＦＥ信号振幅が記録層Ｌ１からＬ５のＦＥ信号振幅よりも大きくなることである。つまり、図５の曲線(h)に示すように、球面収差補正量を記録層Ｌ０に最適となる１１５μｍに設定した状態において、記録層Ｌ０と記録層Ｌ１とのＦＥ信号振幅が同じになる状態がフォーカス引き込み条件の下限であるといえる。
【００５４】
しかしながら、実際には各記録層の反射率のばらつきや球面収差補正量の調整ばらつき、さらには様々な設計の光ピックアップを光ディスク装置において記録・再生互換を確保する必要性等を考慮すると、記録層Ｌ０の反射率は他の記録層の反射率に比べて８０％以上であることが望ましい。
【００５５】
つまり、記録層Ｌ０の反射率が他の記録層の反射率に対して８０％以上であれば、図３におけるフォーカスＳ字信号のボトムレベルＢ１,Ｂ０に対して検出レベルＶｔｈのマージンを必要最低限確保できる。このことにより、記録層Ｌ０でのＳ字波形のみを検出して、所望の記録層Ｌ０へ正しくフォーカス引き込み可能となる。
【００５６】
以上のように、本発明の実施例２では、最初にフォーカスを引き込む所望の記録層Ｌ０の反射率を他の記録層の反射率よりも小さい所定の値以上とすることで、球面収差補正量が記録層Ｌ０に対して適切に調整されている状態において、所望の記録層Ｌ０におけるＦＥ信号振幅を一番大きくする。そのことにより、光ディスク装置は所望の記録層Ｌ０のＳ字波形のみを検出してフォーカス引き込みを正しく行うことができる。
【００５７】
なお、実施例２においても実施例１と同様に他の記録層に対する記録層Ｌ０の反射率の上限を、例えば１２０％以内と定めても良い。
［実施例３］
図６を用いて、実施例３の多層光ディスクについて説明する。
【００５８】
なお、実施例３の多層光ディスクの構成は実施例１で説明した図１と同様であるので説明を省略する。
【００５９】
図６は、図４同様に球面収差補正量と各記録層のＦＥ信号振幅の関係を示す模式図であるが、図４と異なる点は、記録層Ｌ１から記録層Ｌ５のうち記録層Ｌ２の反射率のみが他の記録層に対して大きく、さらには記録層Ｌ０の反射率よりも大きいことである。上述したとおりＦＥ信号振幅は記録層の反射率に比例するので、図６のとおり曲線(ｄ)に示す記録層Ｌ２のＦＥ信号振幅の最大値は曲線(ｆ)に示す記録層Ｌ０のＦＥ信号振幅の最大値よりも大きくなる。
【００６０】
このような多層光ディスクにおいて、球面収差補正量が記録層Ｌ０に対して適切に調整されている状態では、フォーカス引き込み時にレーザスポットが各記録層を通過した際の記録層Ｌ０からＬ５におけるＦＥ信号振幅レベルは、図６に示す各レベルA0,A1,A2,A3,A4,A5となる。記録層Ｌ０の反射率に対して記録層Ｌ２の反射率は高いものの、ＦＥ信号振幅で比較すると、記録層Ｌ０でのＦＥ信号振幅A0に対して、記録層Ｌ２でのＦＥ信号振幅レベルA2は十分小さい。そのため、フォーカス引き込み動作時に記録層Ｌ２のＳ字波形のボトムレベルが検出レベルＶｔｈを下回ることはない。また、他の記録層Ｌ３からＬ５でのＦＥ信号振幅A3,A4,A5は、記録層Ｌ０でのＦＥ信号振幅A0に対して十分小さいことは図６から明白である。
【００６１】
これらより、フォーカス引き込み動作においては、引き込み目標の記録層Ｌ０とそれに隣接する記録層Ｌ１の各ＦＥ信号振幅の間に十分なレベル差があることが重要であり、記録層Ｌ２からＬ５でのＦＥ信号振幅は実質的に問題にならないといえる。
【００６２】
このことより、正しくフォーカスが引き込めるように、実施例３では記録層Ｌ０とそれに隣接する記録層Ｌ１の反射率との関係を定める。
【００６３】
すなわち、実施例３の多層光ディスクにおいては、記録層Ｌ１の反射率に対して記録層Ｌ０の反射率が高いこととする。このことにより、実施例１と同様に記録層Ｌ０でのＳ字波形のボトムレベルＢ０と記録層Ｌ１でのＳ字波形のボトムレベルＢ１のレベル差が拡大する。このことにより、検出レベルＶｔｈと両ボトムレベルとの間に十分なマージンを確保できるので、光ディスク装置は記録層Ｌ０へ正しくフォーカス引き込みを行うことができる。
【００６４】
または、記録層Ｌ１の反射率より記録層Ｌ０の反射率が低い場合でも、実施例２と同様に記録層Ｌ１の反射率に対して記録層Ｌ０の反射率を例えば８０％以上と定めることで、球面収差補正量が記録層Ｌ０に対して適切に調整されている状態において、記録層Ｌ０でのＦＥ信号振幅が記録層Ｌ１でのＦＥ信号振幅よりも大きくすることができる。このことにより、光ディスク装置は記録層Ｌ０へ正しくフォーカス引き込みを行うことができる。
【００６５】
なお、実施例３においても実施例１および２と同様に記録層Ｌ１に対する記録層Ｌ０の反射率の上限を、例えば１２０％以内と定めても良い。
【００６６】
以上に述べた実施例３の多層光ディスクにおいては、記録層Ｌ０と記録層Ｌ１の反射率についてそれらの関係を定めるが、残りの４つの記録層については記録層Ｌ０の反射率に対する規定を設けない。そのため、4つの記録層に関して設計の自由度が高まると共に、多層光ディスクの歩留まりを向上させることもできる。
【００６７】
なお、実施例３に示した多層光ディスクはBCAがレーザ光の入射面から一番奥の記録層Ｌ０へ配置される構成としたが、BCAを例えば記録層Ｌ３へ配置する構成としてもよい。この場合は、記録層Ｌ３がフォーカス引き込みの目的層となるので、記録層Ｌ３の反射率と記録層Ｌ４の反射率の関係を上述の記録層Ｌ０と記録層Ｌ１の各反射率のようにすればよい。すなわち、フォーカス引き込み目的層の反射率とそれに対してレーザ入射面側に隣接配置されている記録層の反射率との関係を規定すればよい。
【００６８】
また、図３(ａ)では対物レンズを上昇させる場合のＦＥ信号波形を示したが、フォーカスを引き込む他の方法として、レーザスポットがフォーカス引き込みの目的記録層を超えるまで一旦上昇させた後に対物レンズを下降動作させて所望の記録層でフォーカスを引き込む方法も公知である。この方法を用いる場合、記録層Ｌ３にBCAが配置されている多層光ディスクにフォーカスを引き込む際には、レーザスポットは記録層Ｌ３よりも先に記録層Ｌ２を通過することになる。このような場合でも正しくフォーカス引き込みできる多層光ディスクを提供するためには、記録層Ｌ３の反射率と記録層Ｌ２の反射率との関係を上述の記録層Ｌ０と記録層Ｌ１の各反射率のようにすればよい。すなわち、フォーカス引き込み目的層の反射率とそれに対してレーザ入射面側とは逆側に隣接配置されている記録層の反射率との関係を規定すればよい。
【００６９】
以上に説明した実施例１から３においては、カバー層の厚さを４０μｍ、各スペース層の厚さを１５μｍとしたがこれらの厚さは前記の数値に限られるものではなく、ディスクの記録・再生特性が所望の特性となるよう適宜設定してもよい。
【００７０】
また、実施例１から３においては、６層光ディスクを例にして説明したが３層以上の多層光ディスクに対して本発明を適用しても良いことはいうまでもない。
【００７１】
なお、実施例１から３においては、記録型多層光ディスクについて説明したが再生専用の多層光ディスクに対しても本発明を適用してもよい。
【００７２】
さらに、実施例１から３においては、光ディスクの種別情報はBCAコードに含まれている構成としたが光ディスクの種別情報が含まれていればBCAに限定されるものではない。
【００７３】
また、実施例１から３においては、記録型多層光ディスクについて説明したが、同一記録面内に既記録部と未記録部が混在する場合があり、記録状態に応じて反射率が異なる。そのため、所定の記録層の反射率と他の記録部の反射率はそれぞれ未記録部における反射率としてもよい。
【００７４】
なお、実施例１から３においては、フォーカス引き込み目的層以外の記録層の反射率を基準としてフォーカス引き込み目的層の反射率を規定したが、逆にフォーカス引き込み目的層の反射率を基準としてその他の記録層の反射率を規定しても同様であることはいうまでもない。
【００７５】
以上の実施例によれば、３層以上の記録層を有する多層光ディスクにおいて、BCAが記録されている記録層へ容易にフォーカス引き込み可能となり、光ディスク装置が光ディスクの種別を迅速に確定できる。
【図面の簡単な説明】
【００７６】
【図１】本実施例の６層光ディスクの断面模式図である。
【図２】BCAを有する光ディスクの模式図である。
【図３】対物レンズを上昇させた際のフォーカスエラー信号波形を示す模式図である。
【図４】本実施例１における球面収差補正量と各記録層のフォーカスエラー信号振幅の関係を示す模式図である。
【図５】本実施例２を説明するための球面収差補正量と各記録層のフォーカスエラー信号振幅の関係を示す模式図である。
【図６】本実施例３を説明するための球面収差補正量と各記録層のフォーカスエラー信号振幅の関係を示す模式図である。
【符号の説明】
【００７７】
１００…カバー層、１０１，１０２，１０３，１０４，１０５，１０６…記録層、１０７，１０８，１０９，１１０，１１１…スペース層、１１２…基板、２０１…光ディスク、２０２…センターホール、２０３…ＢＣＡ
【図１】
2008287804.tif 000010
【図２】
2008287804.tif 000011
【図３】
2008287804.tif 000012
【図４】
2008287804.tif 000013
【図５】
2008287804.tif 000014
【図６】
2008287804.tif 000015